(57)【要約】      （修正有）【課題】ソケットと端子台との電気接続が容易化された照明装置を提供する。【解決手段】照明装置１は、同一方向を向いて設けられ、一対の給電体に接続された一対の第１のＳＬ端子を有するソケット２と、一対の第２のＳＬ端子に外部電源が接続される端子台と、ワイヤハーネスにされ、第１および第２のＳＬ端子に接続された一対の電線と、第１および第２のＳＬ端子が互いに反対方向を向くようにソケット２および端子台を取り付けた取付板５と、ソケット２が内包されるように取付板５に取り付けられた装置本体４と、一対の電源端子が一対の給電体１５に電気接続するようにソケット２に取り付けられたランプ装置６と、を具備している。【選択図】図２
2017199491.tif 000002
【特許請求の範囲】
【請求項１】
電気絶縁性を有する基体、この基体に同一方向を向いて設けられた一対の第１のＳＬ端子およびこの一対の第１のＳＬ端子に電気接続された一対の給電体を有するソケットと；  一対の第２のＳＬ端子を有し、この一対の第２のＳＬ端子に外部電源が接続される端子台と；  ワイヤハーネスであり、一端側が前記一対の第１のＳＬ端子に差し込まれて接続され、他端側が前記一対の第２のＳＬ端子に差し込まれて接続された一対の電線と；  前記一対の第１のＳＬ端子および前記一対の第２のＳＬ端子が互いに反対方向を向くように前記ソケットおよび前記端子台を取り付けた取付板と；  前記ソケットが挿通可能な挿通孔および前記一対の電線を挿通可能に前記挿通孔に連通する切り欠き部を有し、前記ソケットが内包されるように前記取付板に取り付けられた装置本体と；  一対の電源端子を有し、この一対の電源端子が前記一対の給電体に電気接続するように前記ソケットに着脱可能に取り付けられたランプ装置と；を具備していることを特徴とする照明装置。
【請求項２】
前記一対の電線は、前記ソケットおよび前記端子台間が直線状となっていることを特徴とする請求項１記載の照明装置。
【請求項３】
前記一対の電線は、樹脂により一体化されたワイヤハーネスであることを特徴とする請求項１または２記載の照明装置。
【請求項４】
前記一対の第１のＳＬ端子は、前記基体の正対する縁側に同一方向を向いて取り付けられ、前記一対の電線は、一端側が前記基体の縁に沿うように設けられていることを特徴とする請求項１ないし３いずれか一記載の照明装置。
【発明の詳細な説明】
【技術分野】
【０００１】
本発明の実施形態は、ソケットを備え、このソケットに光源を搭載したランプ装置が取り付けられる照明装置に関する。
【背景技術】
【０００２】
ＩＥＣ（国際電気標準会議）で規格されたＧＸ５３形の口金を用いるとともにＬＥＤを光源としたランプ装置と、このランプ装置が着脱可能に取り付けられるＧＸ５３形口金用のソケットとを装置本体に備える照明装置が提供されている。この照明装置には、装置本体の上面側に天板を取り付けているものがある。この天板は、装置本体を取り付けた同一面側に端子台を配設している（例えば特許文献１参照。）。端子台は、リード線によりソケットに接続されていて、外部電源からの電源線が接続される。
【先行技術文献】
【特許文献】
【０００３】
【特許文献１】特許第５６９９７５３号公報（第８頁、第４，５図）
【発明の概要】
【発明が解決しようとする課題】
【０００４】
ソケットおよび端子台の電気接続は、リード線を手作業により引き回すなどした接続しているので、製造コストを上昇させる要因となっている。  
【０００５】
本発明の実施形態は、ソケットと端子台との電気接続が容易化された照明装置を提供することを目的とする。
【課題を解決するための手段】
【０００６】
本実施形態の照明装置は、ソケット、端子台、一対の電線、取付板、装置本体およびランプ装置を有して構成される。ソケットは、基体、一対の第１のＳＬ端子および一対の給電体を有してなる。基体は、ソケットの本体部となるものであり、樹脂からなり、電気絶縁性を有する。一対の第１のＳＬ端子は、同一方向を向くようにして基体に設けられている。一対の給電体は、基体に設けられて、一対の第１のＳＬ端子に電気接続されている。  
【０００７】
端子台は、一対の第２のＳＬ端子を有してなる。一対の第２のＳＬ端子は、外部電源からの電源線が接続される。一対の電線は、ワイヤハーネスにされて、その一端側がソケットの一対の第１のＳＬ端子に差し込まれて接続され、その他端側が端子台の一対の第２のＳＬ端子に差し込まれて接続されている。取付板は、ソケットおよび端子台が取り付けられている。このとき、ソケットの一対の第１のＳＬ端子と、端子台の一対の第２のＳＬ端子が互いに反対方向を向くようにしている。  
【０００８】
装置本体は、挿通孔および切り欠き部を有するように形成されている。挿通孔は、ソケットが挿通可能に形成され、切り欠き部は、一対の電線が挿通可能であって挿通孔に連通するように形成されている。そして、装置本体は、ソケットが内包されるように取付板に取り付けられている。ランプ装置は、一対の電源端子を有している。そして、一対の電源端子がソケットの一対の給電体に電気接続するようにソケットに着脱可能に取り付けられている。
【発明の効果】
【０００９】
本実施形態の照明装置によれば、ソケットの一対の第１のＳＬ端子と、端子台の一対の第２のＳＬ端子とが互いに反対方向を向いてワイヤハーネスの一対の電線が接続されるので、一対の電線を容易にソケットおよび端子台に接続可能であり、これにより、製造コストが低減されることが期待できる。
【図面の簡単な説明】
【００１０】
【図１】本発明の実施形態を示す照明装置の概略斜視図である。
【図２】同じく、照明装置の一部切り欠き概略側面図である。
【図３】同じく、ランプ装置が取り外されたときの照明装置の概略下面図である。
【図４】同じく、ソケットおよび端子台の接続を示す背面図である。
【図５】同じく、ソケットおよび端子台の接続前の背面図である。
【図６】同じく、ソケットを示し、（ａ）は概略側面図、（ｂ）は概略下面図である。
【図７】同じく、ランプ装置の概略側面図である。
【発明を実施するための形態】
【００１１】
以下、本発明の一実施の形態について、図面を参照して説明する。  
【００１２】
本実施形態の照明装置１は、図１および図２に示すように、天井等に埋設されるダウンライトであり、ソケット２、端子台３および装置本体４が取付板５に取り付けられており、ソケット２にランプ装置６を着脱可能に取り付けている。ソケット２および端子台３は、図４に示すように、一対の電線７，７により接続されている。  
【００１３】
ソケット２は、電気絶縁性の合成樹脂例えばポリカーボネート（ＰＣ）樹脂により、ソケット本体である基体８が形成されている。基体８は、例えば鋳造により形成され、図６（ａ）に示すように、一面（下面）８ａが平面状に形成されているとともに、他面（上面）８ｂに所定の厚さおよび高さを有する円筒部９が突出形成されている。円筒部９は、図６（ｂ）に示すように、基体８の一面８ａの中央領域に円形状の開口１０を有するように形成されているとともに、正対する内壁面に一対の係止凸部１１，１１を有している。また、基体８は、上面視または下面視が円形状に形成され、外周縁に一対の切り欠き部１２，１２および一対の切り欠き部１３，１３が開口１０の中心１０ｃを中心として１８０°回転対称に形成されている。  
【００１４】
また、基体８は、開口１０の周囲に一面８ａ側から一対の挿入孔１４，１４が形成されている。一対の挿入孔１４，１４は、だるま穴に形成され、開口１０の中心１０ｃを中心として１８０°回転対称に形成されているとともに、本実施形態では、基体８の一面８ａから他面８ｂ側に貫通するように形成されている。なお、挿入孔１４は、一面８ａから窪む凹部に形成されてもよい。  
【００１５】
そして、各挿入孔１４の長孔部分に給電体１５が挿入孔１４に突き出るように設けられている。給電体１４は、受金とも称され、例えば銅板からなり、弾性変形可能に基体８に取り付けられている。  
【００１６】
また、基体８には、図６（ａ）に示すように、他面８ｂ側に複数個の柱体１６が立設されている。柱体１６は、他面８ｂからの高さが円筒部９よりも若干大きくなるように設けられている。また、柱体１６は、円柱状に形成され、図５に示すように、本実施形態では円筒部９の周回方向で１８０°回転対称に４個が設けられている。  
【００１７】
柱体１６には、その中心軸に貫通孔１７が形成されている。貫通孔１７は、ねじが挿入されるものであり、柱体１６を基体８の一面８ａから柱体１６の上面１６ａを貫通する円柱状に形成されている。そして、貫通孔１７は、図６（ｂ）に示すように、基体８の一面８ａ側が径大に形成され、柱体１６の上面１６ａ側が径小に形成され、その中間に段部１８を有するように形成されている。すなわち、基体８の一面８ａ側は、ねじの頭部を挿入可能な大きさに形成され、柱体１６の上面１６ａ側は、ねじの頭部を挿入不能であってねじのねじ部を挿通可能な大きさに形成されている。  
【００１８】
そして、基体８の他面８ｂ側には、図５に示すように、一対の第１のＳＬ端子９，９が設けられている。第１のＳＬ端子９は、電線７が差し込まれることにより、電線７に電気接続されるとともに電線７を固定するものである。一対の第１のＳＬ端子９，９は、一対の取付体１９，１９に取り付けられている。取付体１９は、例えば長方形の平板状に形成されて、基体８の他面８ｂから起立するように設けられている。そして、一対の取付体１９，１９は、円筒部９の左右両側となる基体８の正対する縁側に、同一方向を向いて平行となるように設けられている。  
【００１９】
一対の第１のＳＬ端子９，９は、電線７の差込口が同一方向を向くように一対の取付体１９，１９の一端側であって基体８の他面８ｂ側の近傍に取り付けられている。そして、第１のＳＬ端子９は、リード線２０により、挿入孔１４に突き出るように設けられた給電体１５に接続されている。一対の電線７，７は、一対の第１のＳＬ端子９，９に接続することにより、一対の給電体１５，１５に電気接続される。  
【００２０】
また、本実施形態では、取付体１９，１９の他端側にも第１のＳＬ端子９と同一品である一対のＳＬ端子９ａ，９ａが取り付けられている。ＳＬ端子９ａは、電線７の差込口が第１のＳＬ端子９と反対方向を向くように取り付けられているとともに、リード線２０ａにより給電体１５に電気接続されている。ソケット２は、一対の電線７，７を一方向およびその反対方向から一対の給電体１５，１５に電気接続可能に形成されている。一対のＳＬ端子９ａ，９ａは、設けなくてもよいものであり、以下、一対の第１のＳＬ端子９，９を用いて説明する。  
【００２１】
ソケット２は、一対の電線７，７により端子台３に接続される。端子台３は、略直方体の基台２１に一対の第２のＳＬ端子２２，２２が設けられている。一対の第２のＳＬ端子２２，２２は、その差込口２３，２３が基台２１の一端側側面に設けられており、その差込口２３，２３に一対の電線７，７が差し込まれることにより、一対の電線７，７に電気接続されるとともに、一対の電線７，７を固定する。また、端子台３は、基台２１の例えば一端側上面に不図示の差込口が設けられており、この差込口に外部電源に接続された電源線が挿入される。一対の第２のＳＬ端子２２，２２は、電源線に電気接続されるとともに電源線を固定する。これにより、一対の電線７，７は、一対の第２のＳＬ端子２２，２２を介して外部電源に接続される。  
【００２２】
一対の電線７，７は、ソケット２の一対の第１のＳＬ端子９，９と、端子台３の一対の第２のＳＬ端子２２，２２とを接続し、ソケット２の一対の給電体１５，１５に外部電源を供給するものである。一対の電線７，７は、例えば銅線からなり、一端側の先端部７ａ，７ａおよび他端側の先端部７ｂ，７ｂを除いて、電気絶縁性の樹脂ＲＪ、例えばシリコーン樹脂により被覆されて一体化されたワイヤハーネス２４に形成されている。  
【００２３】
そして、ワイヤハーネス２４は、一対の電線７，７の先端部７ａ，７ａ同士および先端部７ｂ，７ｂ同士がそれぞれ平行となるとともに、先端部７ａ，７ａの間隔がソケット２の一対の第１のＳＬ端子９，９のそれぞれの差込口の間隔と同等となり、先端部７ｂ，７ｂの間隔が端子台３の一対の第２のＳＬ端子２２，２２のそれぞれの差込口２３，２３の間隔と同等となるように形成されている。すなわち、ワイヤハーネス２４の直線移動により、先端部７ａ，７ａが一対の第１のＳＬ端子９，９の差込口に差込み可能に、かつ先端部７ｂ，７ｂが一対の第２のＳＬ端子２２，２２の差込口２３，２３に差込み可能に形成されている。  
【００２４】
また、ワイヤハーネス２４は、図４に示すように、先端部７ａ，７ａが一対の第１のＳＬ端子９，９に差し込まれて接続されたときに、一対の電線７，７の一端側が基体８の外周縁に沿うように設けられている。また、一対の電線７，７は、ソケット２および端子台３が接近するようにソケット２および端子台３間が直線状となるように設けられている。ワイヤハーネス２４は、一対の電線７，７を上述となるように成型した後に、例えば２分割した樹脂ＲＪで挟み込み、これらを超音波溶着して形成している。ワイヤハーネス２４の樹脂部分は、平坦状となっているとともに相応の剛性を有している。  
【００２５】
ワイヤハーネス２４は、一対の電線７，７の一端側の先端部７ａ，７ａがソケット２の一対の第１のＳＬ端子９，９に差し込まれて接続され、他端側の先端部７ｂ，７ｂが端子台３の一対の第２のＳＬ端子２２，２２に差し込まれて接続される。この一対の電線７，７のソケット２および端子台３の接続において、一対の電線７，７のソケット２および端子台３間は、直線状となっているので、ソケット２の一対の第１のＳＬ端子９，９の差込口および端子台３の一対の第２のＳＬ端子２２，２２の差込口２３，２３は、互いに反対方向を向いている。ソケット２および端子台３は、一対の電線７，７により接続された状態で、取付板５に取り付けられている。  
【００２６】
取付板５は、鋼板からなり、図１に示すように、一端側が円弧状である略長方形に形成され、短手方向両側に下面５ａ側に直角に折曲された側板部５ｃを有している。側板部５ｃは、取付板５全体を変形に対して補強する。ソケット２および端子台３は、ワイヤハーネス２４が取付板５の短手方向の中央部であって長手方
向に沿うとともに、ソケット２が長手方向の一端側となるようにして、取付板５の下面５ａに取り付けられている。  
【００２７】
ソケット２は、図３に示すように、４個の柱体１６の貫通孔１７に通したねじ２５が取付板５に設けたねじ孔にねじ込まれることにより取付板５に固定されている。取付板５には、４個の柱体１６の貫通孔１７に対応する位置にねじ２５のねじ孔が形成されている。ねじ２５は、その頭部が貫通孔１７の段部１８に当接し、柱体１６の上面１６ａが取付板５の下面５ａに強く当接するまでねじ込まれている。また、端子台３は、不図示のねじにより取付板５に取り付けられている。  
【００２８】
また、取付板５の下面５ａには、ソケット２を内包するようにして装置本体４が取り付けられている。装置本体４は、アルミダイキャストによって成型され、図２に示すように、下端側４ａに円形状の開口部２６および外方に突出する環状のフランジ部２７を有し、上端側４ｂに円形状の挿通孔２８を有する略放物体の箱状に形成されている。また、装置本体４は、上端側４ｂの外面に周回方向に等間隔で複数個のリブ２９を設けており、下端側４ａの外面にフランジ部２７との間で天井等を挟持する一対の取付けばね３０，３０を設けている。  
【００２９】
また、装置本体４は、図３に示すように、上端側４ｂに挿通孔２８に連通して略矩形状の切り欠き部３１が形成されている。挿通孔２８は、ソケット２が挿通可能にソケット２よりも幾分大きく形成され、切り欠き部３１は、ワイヤハーネス２４のソケット２および端子台３間の部分が挿通可能な大きさに形成されている。そして、装置本体４の内面４ｄは、例えば白色塗装により反射面に形成されている。  
【００３０】
また、装置本体４は、図２に示すように、上端側４ｂのリブ２９にねじ３２のねじ孔が形成されている。装置本体４は、挿通孔２８および切り欠き部３１にそれぞれソケット２およびワイヤハーネス２４を通して上端側４ｂの端面を取付板５の下面５ａに接触させた状態で、ねじ３２がリブ２９のねじ孔に取付板５の上面５ｂ側からねじ込まれる。ねじ３２は、その頭部および装置本体４の上端側４ｂの端面が取付板５に強く当接するようにねじ込まれる。こうして、装置本体４は、ソケット２が内包されるように取付板５の下面５ａ側に取り付けられている。このとき、取付板５は、その長手部位が装置本体４の外方に延出しており、端子台３が外部空間に露出している。これにより、端子台３に外部電源からの電源線が容易に接続可能となっている。  
【００３１】
装置本体４は、例えば天井に設けた取付開口から天井裏側に挿入される。このとき、装置本体４は、斜めにされるとともに、一対の取付けばね３０，３０が装置本体４の外面４ｃ側に曲げられた状態で取付板５側から天井の取付開口に挿入される。そして、装置本体４は、取付板５が天井裏側に挿入されるに従い斜め状態から起こされ、この後、環状のフランジ部２７と一対の取付ばね３０，３０とにより天井を挟持することにより、天井に取り付けられる。そして、端子台３に外部電源からの電源線が接続され、ソケット２にランプ装置６が取り付けられる。なお、ランプ装置６は、装置本体４を天井に取り付ける前にソケット２に取り付けられていてもよい。  
【００３２】
ランプ装置６は、図７に示すように、筐体３３、発光体３４および点灯装置３５を有して構成されている。そして、筐体３３は、ＧＸ５３形の口金構造に構成されている。  
【００３３】
筐体３３は、例えばポリブチレンテレフタレート（ＰＢＴ）樹脂からなり、円筒状に形成され、平面状の上面３３ａの中央領域から上方に突出した円筒状の突出部３６が一体に設けられている。この突出部３６は、ソケット２の円筒部９の内壁面に近接して円筒部９に挿入可能に形成されているとともに、円筒部９に完全に挿入されたときに、筐体３３の上面３３ａからの高さが円筒部９の上端面よりも幾分低くなるように形成されている。そして、放熱部材３７が突出部３６の上端面に載置されるようにして設けられている。放熱部材３７は、高熱伝導率を有する金属例えばアルミニウム（Ａｌ）からなり、突出部３６から露出している部分が突出部３６とほぼ同径の円盤状に形成され、突出部３６内が円柱状に形成されている。放熱部材３７は、突出部３６内において、筐体３３にねじ等を用いて固定されている。  
【００３４】
突出部３６の外周面には、一対の係止凹部３８，３８（図７中、一方のみを示す。）が設けられている。一対の係止凹部３８，３８は、突出部３６の円筒状の中心軸に対して１８０°回転対称に形成されている。係止凹部３８は、筐体３３の上面３３ａに直交するように放熱部材３７から形成された縦溝部３８ａおよび縦溝部３８ａの先端から上面３３ａに平行に形成された横溝部３８ｂからなり、縦溝部３８ａおよび横溝部３８ｂによりＬ形に形成されている。縦溝部３８ａおよび横溝部３８ｂは、円筒部９の係止凸部１１が挿入されて移動可能な幅および深さを有するように形成されている。  
【００３５】
筐体３３の上面３３ａには、一対の電源端子としての一対の電極ピン３９，３９が設けられている。一対の電極ピン３９，３９は、ソケット２の一対の挿入孔１４，１４に対応して設けられたものであり、例えば青銅からなり、先端側が半球状の円筒体に形成され、筐体３３の上面３３ａから上方に所定長突設されている。一対の電極ピン３９，３９は、ランプ装置６がソケット２に取り付けられるときに、一対の挿入孔１４，１４に差し込まれ、その後のランプ装置６の回動により挿入孔１４，１４内を移動して一対の給電体１５，１５に接触して電気接続される。また、一対の電極ピン３９，３９は、取付板５に接触しないように突出長が設定されている。  
【００３６】
また、筐体３３の下面３３ｂには、透光性のグローブ４０が取り付けられている。グローブ４０は、例えばポリカーボネート（ＰＣ）樹脂により円盤状に形成され、筐体３３の下面３３ｂ側の内面において、不図示の係止手段により筐体３３に取り付けられている。グローブ４０の外周縁には、ランプ装置６を指で掴んで回転させるための一対の摘み部４１，４１が設けられている。  
【００３７】
また、筐体３３の上面３３ａ側の外周面３３ｃは、例えばローレット構造の放熱部に形成されている。そして、筐体３３内に発光体３４および点灯装置３５が収納されている。  
【００３８】
発光体３４は、例えば実装基板に多数個のＬＥＤが実装されたＬＥＤモジュールに形成されている。ＬＥＤは、例えば白色光を放射する。発光体３４は、放熱部材３７に熱結合されるように設けられている。  
【００３９】
点灯装置３５は、例えば回路基板に実装された電子部品を含む回路部品を有してなり、交流電源を所定の直流電源に変換して所定の直流電流を発光体３４のＬＥＤに供給し、ＬＥＤを点灯する周知の点灯回路に形成されている。点灯装置３５の入力端子は、一対の電極ピン３９，３９に接続され、出力端子は、発光体３４に接続されている。点灯装置３５は、一対の電極ピン３９，３９に外部電源が供給されると動作し、所定の直流電流を発光体３４に出力してＬＥＤを点灯させるように形成されている。  
【００４０】
また、筐体３３内には、発光体３４の放射光を制光する制光体４２が設けられている。制光体４２は、放物反射鏡に形成されている。  
【００４１】
ランプ装置６は、装置本体４の開口部２６から装置本体４内に挿入されてソケット２に取り付けられる。ランプ装置６のグローブ４０および装置本体４の開口部２６側の内面４ｄには、図１に示すように、それぞれ位置合わせマーク４３，４４が設けられており、この位置合わせマーク４３，４３を合わせるようにしてランプ装置６が装置本体４内に挿入される。  
【００４２】
そして、ランプ装置６は、筐体３３の突出部３６がソケット２の円筒部９に挿入され、一対の電極ピン３９，３９がソケット２の一対の挿入孔１４，１４に挿入される。そして、円筒部９の一対の係止凸部１１，１１が突出部３６の一対の係止凹部３８，３８の縦溝部３８ａ，３８ａに挿入される。  
【００４３】
放熱部材３７が取付板５の内面５ａに当接した後に、例えばグローブ４０の摘み部４１を指で掴んで筐体３３を係止凹部３８の横溝部３８ｂの形成方向に回転させる。筐体３３の回転に伴って、一対の電極ピン３９，３９は、ソケット２の一対の挿入孔１４，１４内を移動して一対の給電体１５，１５に接触して電気接続される。これにより、ランプ装置６は、点灯装置３５に外部電源を入力可能となる。そして、ランプ装置６は、円筒部９の一対の係止凸部１１，１１が係止凹部３８，３８の横溝部３８ｂ，３８ｂに係止することによりソケット２に取り付けられる。  
【００４４】
次に、本実施形態の作用について述べる。  
【００４５】
端子台３に外部電源が投入されると、その外部電源は、ワイヤハーネス２４、ソケット２を介してランプ装置６の一対の電極ピン３９，３９に印加される。これにより、点灯装置３５に交流電源が入力される。点灯装置３５の点灯回路は、動作し、交流電源を所定の直流電源に変換し、所定の直流電流を発光体３４のＬＥＤに供給する。ＬＥＤは、例えば白色光を放射するとともに発熱する。  
【００４６】
ＬＥＤから放射された白色光は、制光体４２に配光制御されてグローブ４０を透過し、装置本体４の開口部２６から出射して、床面側の外部空間を照明する。そして、ＬＥＤの発熱した熱は、実装基板から放熱部材３７に熱伝導され、放熱部材３７から取付体５に熱伝導されて取付体５から例えば天井裏の外部空間に放出される。これにより、発光体３４の温度上昇が抑制される。  
【００４７】
そして、照明装置１において、ソケット２および端子台３は、ソケット２の一対の第１のＳＬ端子９，９の差込口と、端子台３の一対の第２のＳＬ端子２２，２２の差込口２３，２３とが互いに反対方向を向くように取付板５に設けられている。そして、ソケット２と端子台３とを電気接続する一対の電線７，７は、電気絶縁性の樹脂ＲＪ、例えばシリコーン樹脂により一体化されたワイヤハーネス２４に形成されている。  
【００４８】
一対の電線７，７は、ワイヤハーネス２４の直線移動により、一端側の先端部７ａ，７ａが一対の第１のＳＬ端子９，９の差込口に挿入され、他端側の先端部７ｂ，７ｂが一対の第２のＳＬ端子２２，２２の差込口２３，２３に挿入されるように形状を成形している。また、ワイヤハーネス２４は、電気絶縁性の樹脂ＲＪにより相応の剛性を有している。したがって、例えばロボットを用いてワイヤハーネス２４を直線移動させることにより、一対の電線７，７をソケット２および端子台３に接続可能である。すなわち、一対の電線７，７を容易にソケット２および端子台３に接続できる。これにより、ソケット２と端子台３との電気接続の省力化が図れる。  
【００４９】
また、ソケット２および端子台３は、ワイヤハーネス２４により接続された状態で取付板５に取り付けられるので、取付板５への取付け作業が容易化される。特に、ワイヤハーネス２４において一対の電線７，７のソケット２および端子台３間が直線状で短長であるので、ソケット２および端子台３をワイヤハーネス２４が捻じれや折曲することなく取付板５に取り付けられる。また、ソケット２および端子台３間が直線状であることにより、装置本体４の切り欠き部３１にワイヤハーネス２４が容易に通るようにして装置本体４を取付板５に取付け可能であるとともに、切り欠き部３１の大きさを最小限にすることが可能である。  
【００５０】
そして、ソケット２は、一対の第１のＳＬ端子９，９が基体８の正対する縁側に同一方向を向いて取り付けられ、ワイヤハーネス２４は、一対の電線７，７のそれぞれの一端側が基体８の縁に沿うように設けられているので、上端側４ｂの端面が取付体５の内面５ａに当接する装置本体４の挿通孔２８の大きさ（開口径）を必要最小限にできる。すなわち、装置本体４は、挿通孔２８が大きくなる程、大型化し、内面４ｄを所望の反射形状に設計できないおそれがある。また、挿通孔２８に連通する切り欠き部３１の大きさも最小限にできる。これにより、装置本体４が小型化されるとともに
内面４ｄ側を所望の反射面に形成可能である。  
【００５１】
本実施形態の照明装置１は、ソケット２の一対の第１のＳＬ端子９，９と、端子台３の一対の第２のＳＬ端子２２，２２とが互いに反対方向を向いてワイヤハーネス２４の一対の電線７，７が接続されるので、例えばロボットを用いてワイヤハーネス２４を直線移動させることにより、一対の電線７，７を容易にソケット２および端子台３に接続することができ、これにより、省力化することができて製造コストを低減することができるという効果を有する。  
【００５２】
また、ワイヤハーネス２４は、一対の電線７，７のソケット２および端子台３間が直線状であるので、ソケット２および端子台３をワイヤハーネス２４が捻じれや折曲することなく取付板５に取付け可能であるとともに、装置本体４の切り欠き部３１にワイヤハーネス２４が容易に通るようにして装置本体４を取付板５に取付けでき、これにより、取付板５へのソケット２、端子台３および装置本体４の取付け作業を容易化できるという効果を有する。  
【００５３】
また、ワイヤハーネス２４は、電気絶縁性の樹脂ＲＪにより一体化されているので、相応の剛性を有するようになり、これにより、例えばロボットを用いて直線移動させやすくなって、一対の電線７，７をソケット２および端子台３に容易に接続することができるとともに、ワイヤハーネス２４の捻じれや折曲を抑制して、ソケット２および端子台３を取付板５に取り付けることができるという効果を有する。  
【００５４】
また、ソケット２の一対の第１のＳＬ端子９，９は、基体８の正対する縁側に同一方向を向いて取り付けられ、ワイヤハーネス２４の一対の電線７，７は、それぞれの一端側が基体８の縁に沿うように設けられているので、装置本体４の挿通孔２８および切り欠き部３１を最小限の大きさにすることができ、これにより、装置本体４を小型化することができるともに内面４ｄ側を所望の反射面に形成することができるという効果を有する。  
【００５５】
なお、本実施形態において、ワイヤハーネス２４は、一対の電線７，７が樹脂ＲＪにより一体化されているが、これに限らず、結束バンドや接着剤等を用いて一体化してもよい。また、ランプ装置６をソケット２に取り付け、固定する係止凸部１１，１１および係止凹部３８，３８は、係止凸部１１，１１をソケット２の円筒部９に設け、係止凹部３８，３８をランプ装置６の突出部３６に設けたが、係止凸部１１，１１をランプ装置６の突出部３６に設け、係止凹部３８，３８をソケット２の円筒部９に設けてもよい。
【００５６】
また、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００５７】
１…照明装置、  ２…ソケット、  ３…端子台、  ４…装置本体、  ５…取付板、  ６…ランプ装置、  ７，７…一対の電線、  ８…基体、  ９，９…一対の第１のＳＬ端子、  １５，１５…一対の給電体、  ２２，２２…一対の第２のＳＬ端子、  ２８…挿通孔、  ３１…切り欠き部、  ３９，３９…一対の電源端子としての一対の電極ピン
【図１】
2017199491.tif 000003
【図２】
2017199491.tif 000004
【図３】
2017199491.tif 000005
【図４】
2017199491.tif 000006
【図５】
2017199491.tif 000007
【図６】
2017199491.tif 000008
【図７】
2017199491.tif 000009